(57)【要約】【課題】内槽内に温風を送風して洗濯物を乾燥させる行程を有し、洗濯から乾燥までを一貫して実施できる洗濯乾燥機において、乾燥行程にて、乾燥後の衣類の仕上がりをよくする。【解決手段】筐体１内部に弾性的に吊支した外槽２内に、回転中心軸を略鉛直方向に有する内槽４を回転自在に配設し、内槽４の内底部に回転翼５を回転自在に設け、内槽４または回転翼５をモータ９により駆動し、ヒータ１３により加熱された温風を循環用温風機１２により内槽４内に送風し、制御装置２９により洗い、すすぎ、脱水、乾燥の一連の行程を逐次制御する。制御装置２９は、回転翼５を運転開始時に駆動して衣類の重さを判定する行程と、回転翼５を脱水終了時に駆動して衣類の重さを判定する行程とを実行し、この両行程での衣類の重さ判定値の違いに応じて、乾燥行程のシーケンスを決めるようにする。【選択図】　図１
2004121354.tif 000002
【特許請求の範囲】
【請求項１】
筐体内部に弾性的に吊支した外槽と、回転中心軸を略鉛直方向に有し前記外槽内に回転自在に配設し洗濯物を収容する内槽と、前記内槽の内底部に回転自在に設けた回転翼と、前記内槽または回転翼を駆動する駆動手段と、前記内槽内に温風を送風する温風送風手段と、前記温風送風手段により送風される空気を加熱する加熱手段と、熱交換器を冷却する冷却手段と、前記駆動手段、温風送風手段、加熱手段などの動作を制御し、洗い、すすぎ、脱水、乾燥の一連の行程を逐次制御する制御手段とを備え、前記制御手段は、前記回転翼を運転開始時に駆動して衣類の重さを判定する行程と、前記回転翼を脱水終了時に駆動して衣類の重さを判定する行程とを実行し、この両行程での衣類の重さ判定値の違いに応じて、乾燥行程のシーケンスを決めるようにした洗濯乾燥機。
【請求項２】
制御手段は、運転開始時での衣類の重さ判定値と、脱水終了時での衣類の重さ判定値の違いに応じて、乾燥行程中の循環風の温度設定値を変えるようにした請求項１記載の洗濯乾燥機。
【請求項３】
制御手段は、運転開始時での衣類の重さ判定値と、脱水終了時での衣類の重さ判定値の違いに応じて、乾燥を終了する設定値を決定するようにした請求項１記載の洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図４に示すように構成していた。以下、その構成について説明する。
【０００３】
図４に示すように、筐体１は、内部に外槽２をサスペンション３により懸垂防振支持し、運転時の振動をサスペンション３によって吸収する構成としている。外槽２の内部には、回転中心軸を鉛直方向に有し洗濯物および乾燥対象物を収容する内槽４を回転自在に配設し、内槽４の内底部に衣類（洗濯物および乾燥対象物）を撹拌する回転翼５を回転自在に配設している。回転翼５は、外周が傾斜面形状の鍋型に形成している。
【０００４】
内槽４の内部周壁には多数の小孔（図示せず）を設け、その上方に流体バランサー６を設けている。そして、外槽２および内槽４の底部中心付近に、中空で二軸構造をしている洗濯・脱水軸７と、洗濯または脱水時により回転力の伝達を洗濯・脱水軸７に切り換えるクラッチ８を設けている。モータ９は、外槽２に設け、クラッチ８を介して、内槽４または回転翼５を駆動するようにしている。
【０００５】
熱交換器１０は、循環する湿った温風を除湿するもので、一端を伸縮自在の下部蛇腹状ホース１１を介して外槽２の下部に接続し、他端を循環用送風機１２の一端に接続している。循環用送風機１２の他端は、加熱手段であるヒータ１３を有する温風供給路１４に接続し、上部蛇腹状ホース１５を通って内槽４へ繋がり、循環する温風循環経路１６を構成している。
【０００６】
外槽２には、外槽２の上面を気密的に覆う外槽カバー１７を設けており、この外槽カバー１７に伸縮自在の上部蛇腹状ホース１５から温風を供給する温風供給口１８を開口している。また、この外槽カバー１７に内蓋１９を開閉自在に設け、衣類を出し入れするようにしている。
【０００７】
筐体カバー２０は筐体１の上部を覆うもので、外蓋２１を開閉自在に有し、操作表示兼入力手段２２を設けるとともに、内槽４に給水する給水弁２３を設けている。また、外槽２の底部に外槽２内の水を排水する排水弁２４を設けている。冷却用送風機２５は、筐体１の側面に取り付け、筐体１の内部に外気を導入して、筐体１の内部の外槽２、熱交換器１０などを冷却するように構成している。
【０００８】
制御装置２６は、マイクロコンピュータを具備し、モータ９、クラッチ８、循環用送風機１２、ヒータ１３、給水弁２３、排水弁２４、冷却用送風機２５などの動作を制御し、洗い、すすぎ、脱水、乾燥の一連の行程を逐次制御するように構成している。温度センサ２７は、温風循環経路１６に設け、循環風の温度を検知するものであり、温度センサ２８は外槽２の温度を検知するものである。
【０００９】
上記構成において動作を説明する。洗い行程では、外蓋２１と内蓋１９を開けて、内槽４に衣類（洗濯物）を投入し運転を開始すると、給水弁２３を開いて所定の水位まで給水した後、モータ９を駆動する。このとき、伝達機構部のクラッチ８によりモータ９の動力を洗濯軸を介して回転翼５に伝達し、回転翼５を回転させて衣類を水中で撹拌して洗濯し、その後、排水弁２４を開いて排水し、すすぎ行程で再度給水し、洗い行程と同様にして衣類をすすぐ。
【００１０】
脱水行程では、すすぎ終了後、排水弁２４を開いて内槽４内の水を排水した後、伝達機構部のクラッチ８を脱水側に切り換えて、モータ９の動力を脱水軸を介して内槽４に伝達して回転させ、衣類に遠心力を与えることにより、水分を衣類から分離することで行う。脱水行程が終了すると引きつづいて乾燥行程に入る。
【００１１】
乾燥行程に入ると、モータ９を駆動して回転翼５に伝達し、回転翼５をゆっくり回転させることにより、脱水時の遠心力により内槽４の内壁に張り付いた衣類を引き剥がした後、運転開始時での衣類の重さ判定値に応じて、所定の時間だけ内槽４を回転させながら衣類を乾燥する槽回転乾燥行程（ただし、短時間の撹拌乾燥行程を間欠的に行う）を行った後、回転翼５を瞬間的に正逆の方向に強力に回転させて、衣類を内槽４内で上方に放り上げるようにして撹拌しながら乾燥する撹拌乾燥行程を行う（例えば、特許文献１）。
【００１２】
同時に、循環用送風機１２により、ヒータ１３を通って加熱した温風を温風供給口１８より内槽４内部に送り込む。この温風は、内槽４内にて衣類の水分を取り、外槽２、下部蛇腹状ホース１１を経由して熱交換器１０を通過する際に、冷却用送風機２５の送風により冷却、除湿され、その後、再び循環用送風機１２に戻る。
【００１３】
このとき、除湿された水分は排水弁２４を定期的に開いて機外に排水される。これにより乾燥が進行する。循環風の温度を温度センサ２７により検知し、所定の温度に達するとヒータ１２をオフにすることにより、循環風の温度設定値になるように調節する。衣類が乾いてくると、温度センサー２７と温度センサー２８の出力差が大きくなり、この出力差が乾燥を終了する設定値になると乾燥を終了させる。
【００１４】
【特許文献１】
特開２００２−１５９７７５号公報
【００１５】
【発明が解決しようとする課題】
このような従来の構成では、運転開始時での衣類の重さ判定値に応じて所定の時間だけ内槽４を回転させながら衣類を乾燥する槽回転乾燥行程を行っていたため、同じ量の衣類でも、化繊が多く脱水後の水分量が少ない場合では、槽回転乾燥行程が長すぎになり、綿が多く脱水後の水分量が多い場合では、槽回転乾燥行程が短すぎになり、衣類の質による適切な乾燥行程が行えずに仕上がりが悪くなるという問題を有していた。
【００１６】
また、循環風の温度設定値が適切でないと、化繊のように乾きやすく、熱に弱い衣類の場合は、循環風の温度が高すぎると仕上がりが悪くなり、綿のように乾きにくい衣類の場合は、循環風の温度が低すぎると乾燥スピードが遅くなるという問題を有していた。
【００１７】
また、乾燥を終了する設定値が適切でないと、化繊のように乾きやすい衣類の場合は、乾燥しすぎると静電気が多く発生し仕上がりが悪くなり、綿のように乾きにくい衣類だと、湿った部分が残って乾きむらが発生するという問題を有していた。
【００１８】
本発明は上記従来の課題を解決するもので、乾燥行程にて、衣類の質に応じて適切な乾燥行程が行えずに仕上がりが悪くなるのを防ぎ、循環風の温度が高すぎて仕上がりが悪くなったり、低すぎて乾燥スピードが遅くなったりするのを防ぎ、静電気が多く発生したり、乾きむらが発生したりするのを防ぐことを目的としている。
【００１９】
【課題を解決するための手段】
本発明は上記目的を達成するために、筐体内部に弾性的に吊支した外槽内に、回転中心軸を略鉛直方向に有し洗濯物を収容する内槽を回転自在に配設し、内槽の内底部に回転翼を回転自在に設け、内槽または回転翼を駆動手段により駆動し、加熱手段により加熱された温風を温風送風手段により内槽内に送風し、制御手段により駆動手段、温風送風手段、加熱手段などの動作を制御し、洗い、すすぎ、脱水、乾燥の一連の行程を逐次制御するよう構成し、制御手段は、回転翼を運転開始時に駆動して衣類の重さを判定する行程と、回転翼を脱水終了時に駆動して衣類の重さを判定する行程とを実行し、この両行程での衣類の重さ判定値の違いに応じて、乾燥行程のシーケンスを決めるようにしたものである。
【００２０】
これにより、乾燥行程にて、衣類の質に応じて適切な乾燥行程が行えずに仕上がりが悪くなるのを防ぐことができ、循環風の温度が高すぎて仕上がりが悪くなったり、低すぎて乾燥スピードが遅くなったりするのを防ぐことができ、静電気が多く発生したり、乾きむらが発生したりするのを防ぐことができる。
【００２１】
【発明の実施の形態】
本発明の請求項１に記載の発明は、筐体内部に弾性的に吊支した外槽と、回転中心軸を略鉛直方向に有し前記外槽内に回転自在に配設し洗濯物を収容する内槽と、前記内槽の内底部に回転自在に設けた回転翼と、前記内槽または回転翼を駆動する駆動手段と、前記内槽内に温風を送風する温風送風手段と、前記温風送風手段により送風される空気を加熱する加熱手段と、熱交換器を冷却する冷却手段と、前記駆動手段、温風送風手段、加熱手段などの動作を制御し、洗い、すすぎ、脱水、乾燥の一連の行程を逐次制御する制御手段とを備え、前記制御手段は、前記回転翼を運転開始時に駆動して衣類の重さを判定する行程と、前記回転翼を脱水終了時に駆動して衣類の重さを判定する行程とを実行し、この両行程での衣類の重さ判定値の違いに応じて、乾燥行程のシーケンスを決めるようにしたものであり、両行程での衣類の重さ判定値の違いにより、衣類の質を判定することができ、衣類の質に応じて槽回転乾燥行程の時間を変えることで、同じ量の衣類でも、化繊が多く脱水後の水分量が少ない場合では槽回転乾燥行程が長すぎになり、綿が多く脱水後の水分量が多い場合では槽回転乾燥行程が短すぎになるのを防ぐことができ、衣類の質により適切な乾燥行程を行うことにより乾燥後の衣類の仕上がりをよくすることができる。
【００２２】
請求項２に記載の発明は、上記請求項１に記載の発明において、制御手段は、運転開始時での衣類の重さ判定値と、脱水終了時での衣類の重さ判定値の違いに応じて、乾燥行程中の循環風の温度設定値を変えるようにしたものであり、循環風の温度設定値が適切でないため、化繊のように乾きやすく熱に弱い衣類の場合は循環風の温度が高すぎると仕上がりが悪くなり、綿のように乾きにくい衣類の場合は循環風の温度が低すぎると乾燥スピードが遅くなるのを防ぐことができ、衣類の質により適切な循環風の温度で乾燥行程を行うことにより、乾燥後の衣類の仕上がりをよくし、乾燥スピードをはやくすることができる。
【００２３】
請求項３に記載の発明は、上記請求項１に記載の発明において、制御手段は、運転開始時での衣類の重さ判定値と、脱水終了時での衣類の重さ判定値の違いに応じて、乾燥を終了する設定値を決定するようにしたものであり、乾燥を終了する設定値が適切でないため、化繊のように乾きやすい衣類の場合は乾燥しすぎると静電気が多く発生し仕上がりが悪くなり、綿のように乾きにくい衣類だと湿った部分が残って乾きむらが発生するのを防ぐことができ、衣類の質により乾燥を終了する設定値を適切にして乾燥行程を行うことにより、静電気の発生を抑え、乾燥後の衣類の仕上がりをよくし、乾きむらが発生するのを防ぐことができる。
【００２４】
【実施例】
以下、本発明の実施例について、図面を参照しながら説明する。なお、従来例と同じ構成のものは同一符号を付して説明を省略する。
【００２５】
（実施例１）
図１に示すように、制御装置（制御手段）２９は、マイクロコンピュータを具備し、モータ（駆動手段）９、クラッチ８、循環用送風機（温風送風手段）１２、ヒータ（加熱手段）１３、給水弁２３、排水弁２４、冷却用送風機（冷却手段）２５などの動作を制御し、洗い、すすぎ、脱水、乾燥の一連の行程を逐次制御するように構成している。
【００２６】
また、制御装置２９は、運転開始時に回転翼５を数回反転駆動し、そのときの負荷（モータ電流値）と惰性回転数から衣類の重さを判定する（特開２０００−２４３７４号公報参照）行程と、脱水終了時に回転翼５を数回反転駆動し、同様に、衣類の重さを判定する行程とを実行するようにしている。
【００２７】
また、制御装置２９は、乾燥行程において、内槽４を回転させながら衣類を乾燥する槽回転乾燥行程と、回転翼５を瞬間的に正逆の方向に強力に回転させて、衣類を内槽４内で上方に放り上げるようにして撹拌しながら乾燥する撹拌乾燥行程を有し、運転開始時に衣類の重さを判定する行程と、脱水終了時に衣類の重さを判定する行程での衣類の重さ判定値の違いに応じて、槽回転乾燥行程の時間を変えて、乾燥行程のシーケンスを決めるようにしている。
【００２８】
上記構成においての動作を説明する。洗濯・すすぎ行程では、内槽４内に衣類を投入し、設定表示兼入力手段２２に従い、制御装置２９の制御により、排水弁２４を閉じた状態で、回転翼５を数回反転駆動し、そのときの負荷（モータ電流値）と惰性回転数から衣類の重さを判定する。給水弁２３により衣類の量に応じた水または湯を給水し、伝達機構部のクラッチ８の切り換えにより、モータ９の動力を洗濯・脱水軸７を介して、内槽４または回転翼５に伝達し、内槽４または回転翼５が回転することで、衣類に洗剤を含む水分を通過させたり、衣類を洗剤を含む水中で撹拌されて洗濯・すすぎされる。
【００２９】
脱水行程では、洗濯・すすぎ行程終了後、制御装置２９により排水弁２４を開いて、内槽２内の水を外部へ排水した後、伝達機構部のクラッチ８を脱水側に切り換えて、モータ９の動力を洗濯・脱水軸７を介し内槽４に伝達して徐々に回転を上げて、７５０ｒ／ｍｉｎ程度の回転数で回転させ、衣類に遠心力を与えることにより、水分を衣類から分離し、排水弁２４を通過して外部へ排水する。
【００３０】
乾燥行程では、制御装置２９により、まず、排水弁２４を閉じた上で、回転翼５をゆっくり正逆に回転させることにより、脱水行程時における内槽４の回転による遠心力で内槽４の内壁に張り付いた衣類を引き剥がした後、さらに回転翼５を数回反転させ、そのときの負荷（モータ電流値）と惰性回転数から脱水後の衣類の重さを判定する。
【００３１】
その後、所定の時間Ｔだけ内槽４を回転させながら衣類全体に温風が当たるように槽回転乾燥行程を行う。このとき、温風は、温風供給口１８より内槽４内に入り、内槽４内の衣類の表面をなぞって、回転翼５の小穴および一部は内槽４の内壁に設けた小孔（図示せず）を通過して外槽２の内部へと流れ、その後、外槽２の下部の出口３０へ移る。
【００３２】
この内槽４内を通過するとき、衣類の表面に当たり衣類に含まれる水分を取って温風循環経路１６へと流れ込み、ここで、冷却用送風機２５による外部の空気によって冷却されて除湿される。除湿された水分は、温風循環経路１６の下部に集まり、排水弁２４が開かれたときに排水口３１から外部へ排水される。
【００３３】
槽回転乾燥行程を所定時間Ｔだけ行った後、回転翼５を瞬間的に正逆の方向に強力に回転させて、衣類を内槽４内で上方に放り上げるようにして撹拌しながら乾燥する撹拌乾燥行程を行う。ここで、槽回転乾燥行程から、撹拌乾燥行程に移行するタイミングは衣類の乾燥率８５％〜９０％程度が適切であり、それより早く撹拌乾燥行程をはじめると、水分を多く含んだ衣類どうしが絡み合ってしまい、逆に、遅く撹拌乾燥行程をはじめると衣類が撹拌により伸ばされることなく乾燥し、しわが固着してしまい仕上がりが悪くなることを、発明者らは多くの実験により確認している。
【００３４】
このため、槽回転乾燥行程を行う所定時間Ｔは、運転開始時に判定した衣類の重さと、脱水後に判定した衣類の重さにより決定する。たとえば、乾燥状態で４ｋｇの衣類を洗濯後、７分間脱水した場合の脱水率（乾燥率）は、（表１）に示すようになることを発明者たちは多くの実験により確認している。
【００３５】
【表１】
2004121354.tif 000003
【００３６】
これにより、（表２）に示すように、同じ４ｋｇの衣類でも、綿を多く含んだ衣類では槽乾燥行程を長く１２０分に設定し、化繊を多く含んだ衣類では槽乾燥行程を短く８０分に設定することにより、撹拌乾燥行程に移行するタイミングを乾燥率８５％〜９５％程度にすることができる。
【００３７】
【表２】
2004121354.tif 000004
【００３８】
撹拌乾燥行程をつづけて衣類が乾いてくると、温度センサ２７と温度センサ２８の出力差が大きくなり、この出力差が乾燥を終了する設定値になると乾燥を終了させる。
【００３９】
このように本実施例によれば、乾燥行程において、回転翼５を運転開始時に駆動して衣類の重さを判定する行程と、回転翼５を脱水終了時に駆動して衣類の重さを判定する行程とを実行し、この両行程での衣類の重さ判定値の違いに応じて、乾燥行程のシーケンスを決めるようにしたので、同じ量の衣類でも、化繊が多く脱水後の水分量が少ない場合では槽回転乾燥行程が長すぎになり、綿が多く脱水後の水分量が多い場合では槽回転乾燥行程が短すぎになるのを防ぐことができ、衣類の質により適切なタイミングで撹拌乾燥行程に移行することができるので、乾燥後の衣類の仕上がりをよくすることができる。
【００４０】
（実施例２）
図１に示す制御装置（制御手段）２９は、循環風の温度を温度センサ２７により検知した循環風の温度が所定の温度に達すると、ヒータ１２をオフにすることにより、温度設定値になるように制御し、運転開始時での衣類の重さ判定値と、脱水終了時での衣類の重さ判定値の違いに応じて、乾燥行程中の循環風の温度設定値を変えるようにしている。他の構成は上記実施例１と同じである。
【００４１】
上記構成において動作を説明する。なお、洗い行程から脱水行程までの動作と、乾燥行程の基本的な動作は、上記実施例１の動作と同じであるので説明を省略する。
【００４２】
乾燥行程において、図２に示すように、温度センサ２７により検知した循環風の温度が温度設定値Ｔに達すると、ヒータ１２をオフにすることにより、温度設定値Ｔになるように制御する。ここで、化繊などの耐熱温度が低い衣類が多い場合は、循環風の温度設定値Ｔを低くして乾燥することが望ましい。しかしながら、循環風の温度設定値Ｔを低くすると、乾燥のスピードが落ちて、乾燥時間が長くなってしまう。
【００４３】
そこで、本実施例では、乾燥行程において、衣類の質によって循環風の設定温度を適切にするために、運転開始時での衣類の重さ判定値と、脱水終了時での衣類の重さ判定値の違いに応じて、乾燥行程中の循環風の温度設定値を決定する。
【００４４】
化繊などの耐熱温度が低い衣類が多い場合は、循環風の温度設定値を９０℃程度にして、衣類の温度を抑えながら乾燥を行うことにより、衣類に与える熱ストレスを抑え、仕上がりをよくすることができる。またそれ以外の場合は、循環風の温度設定値を高めの１１０℃程度にして乾燥を行うことにより、乾燥スピードを速くし、乾燥時間を短くすることができる。
【００４５】
（実施例３）
図１に示す制御装置（制御手段）２９は、乾燥行程にて、温度センサ２７と温度センサ２８の出力差が乾燥を終了する設定値になると乾燥を終了させるようにし、運転開始時での衣類の重さ判定値と、脱水終了時での衣類の重さ判定値の違いに応じて、乾燥を終了する設定値を決定するようにしている。他の構成は上記実施例１または２と同じである。
【００４６】
上記構成において動作を説明する。ここで、洗濯行程から脱水行程までの動作と、乾燥行程の基本的な動作は、上記実施例１の動作と同じであるので説明を省略する。
【００４７】
乾燥行程において、図３に示すように、衣類が乾いてくると、温度センサ２７の出力ＴＨ１と温度センサー２８の出力ＴＨ２の出力差ＴＨ１−ＴＨ２が大きくなり、この出力差が乾燥を終了する設定値になると乾燥を終了させる。
【００４８】
化繊などの乾きやすい衣類が多い場合、乾燥は比較的均一に進行し、乾燥むらは発生しにくい傾向にあり、さらに乾燥させすぎると静電気が多く発生してしまう。また、逆に、綿などの乾きにくい衣類が多い場合、全体の乾燥率は高くても、部分的に湿ったところが残り乾燥むらが発生することがある。
【００４９】
そこで、本実施例では、乾燥行程において、衣類の質によって乾燥終了の設定値（ＴＨ１−ＴＨ２）を適切にするために、運転開始時での衣類の重さ判定値と、脱水終了時での衣類の重さ判定値の違いに応じて、乾燥終了の設定値（ＴＨ１−ＴＨ２）を決定する。
【００５０】
これにより、化繊などの乾きやすい衣類が多い場合は、乾燥を終了する設定値を低めにして、乾燥率が低めの状態で乾燥を終了するようにしているため、乾燥時間を短くし、静電気の発生をおさえることができる。一方、綿などの乾きにくい衣類が多い場合は、乾燥を終了する設定値を高めにして、乾燥むらが残らないようにしっかりと乾燥させることができる。
【００５１】
【発明の効果】
以上のように、本発明の請求項１に記載の発明によれば、回転翼を運転開始時に駆動して衣類の重さを判定する行程と、回転翼を脱水終了時に駆動して衣類の重さを判定する行程とを実行し、この両行程での衣類の重さ判定値の違いに応じて、乾燥行程のシーケンスを決めることにより、乾燥行程にて、衣類の質に応じて適切な乾燥行程が行えずに仕上がりが悪くなるのを防ぐことができ、循環風の温度が高すぎて仕上がりが悪くなったり、低すぎて乾燥スピードが遅くなったりするのを防ぐことができ、静電気が多く発生したり、乾きむらが発生したりするのを防ぐことができる。
【図面の簡単な説明】
【図１】本発明の第１の実施例の洗濯乾燥機の断面図
【図２】本発明の第２の実施例の洗濯乾燥機の温度制御の動作を示すタイムチャート
【図３】本発明の第２の実施例の洗濯乾燥機の温度センサの検知温度の変化を示すタイムチャート
【図４】従来の洗濯乾燥機の断面図
【符号の説明】
１　筐体
２　外槽
４　内槽
５　回転翼
９　モータ（駆動手段）
１０　熱交換器
１２　循環用送風機（温風送風手段）
１３　ヒータ（加熱手段）
２５　冷却用送風機（冷却手段）
２９　制御装置（制御手段）
【図１】
2004121354.tif 000005
【図２】
2004121354.tif 000006
【図３】
2004121354.tif 000007
【図４】
2004121354.tif 000008